(57)【要約】【課題】ディスプレイパネルが収容された筐体内にアンテナが装備されることによって不都合が生じるのをより抑制することが可能な電子機器を得る。【解決手段】本発明の実施形態にかかる電子機器にあっては、電子部品が収容された筐体と、前記筐体に固定された支持部材と、前記支持部材に固定されたアンテナと、を備え、前記支持部材が、前記電子部品の本体部の外面と間隔をあけて配置されたことを、特徴の一つとする。【選択図】図３
2011239327.tif 000002
【特許請求の範囲】
【請求項１】
電子部品が収容された筐体と、
前記筐体に固定された支持部材と、
前記支持部材に固定されたアンテナと、
を備え、
前記支持部材が、前記電子部品の本体部の外面と間隔をあけて配置されたことを特徴とする電子機器。
【請求項２】
前記支持部材に複数の前記アンテナが固定されたことを特徴とする請求項１に記載の電子機器。
【請求項３】
前記支持部材が、前記筐体の外郭に沿って配置され、当該外郭に固定されたことを特徴とする請求項１または２に記載の電子機器。
【請求項４】
前記支持部材が、前記外郭としての一つの側壁の長手方向両端部間に亘って配置されたことを特徴とする請求項３に記載の電子機器。
【請求項５】
前記支持部材が、屈曲した断面を有したことを特徴とする請求項３または４に記載の電子機器。
【請求項６】
前記支持部材が、当該支持部材の長手方向に沿って伸びる突起部を有したことを特徴とする請求項３〜５のうちいずれか一つに記載の電子機器。
【請求項７】
前記筐体は、相互に間隔をあけて対向する天壁および底壁と、前記天壁および底壁を接続する側壁と、有し、
前記支持部材は、前記天壁および前記底壁のうち一方の近くに配置されるベース部と、前記ベース部に接続され前記側壁に近づくにつれて前記一方から遠ざかる方向へ伸びる傾斜部と、を有したことを特徴とする請求項１〜６のうちいずれか一つに記載の電子機器。
【請求項８】
前記支持部材が、当該支持部材の長手方向の両端部と前記傾斜部とを当該支持部材の長手方向に接続する屈曲部を有したことを特徴とする請求項７に記載の電子機器。
【請求項９】
前記筐体が複数の分割体を有し、
前記支持部材が、前記複数の分割体を固定する固定具によって前記筐体に固定されたことを特徴とする請求項１〜８のうちいずれか一つに記載の電子機器。
【請求項１０】
前記電子部品が表示装置であり、
前記筐体が、前記表示装置の後側を覆う第一の分割体と、前記表示装置の表示画面を露出させた状態で当該表示装置の前側を覆う第二の分割体と、を有し、
前記アンテナのハーネスが前記第二の分割体に固定されたことを特徴とする請求項１〜９のうちいずれか一つに記載の電子機器。
【発明の詳細な説明】
【技術分野】
【０００１】
本発明の実施形態は、電子機器に関する。
【背景技術】
【０００２】
従来、ディスプレイパネルが前面側に露出する状態で収容された筐体の後壁にアンテナが取り付けられた電子機器が知られている。
【先行技術文献】
【特許文献】
【０００３】
【特許文献１】特開２００４−１０２８９８号公報
【発明の概要】
【発明が解決しようとする課題】
【０００４】
この種の電子機器では、筐体の後壁にアンテナが取り付けられることで、筐体が組み立てにくくなったり分解しにくくなったりする等の不都合が生じる場合があった。
【０００５】
そこで、本発明の実施形態は、ディスプレイパネルが収容された筐体内にアンテナが装備されることによって不都合が生じるのをより抑制することが可能な電子機器を得ることを目的の一つとする。
【課題を解決するための手段】
【０００６】
本発明の実施形態にかかる電子機器にあっては、電子部品が収容された筐体と、前記筐体に固定された支持部材と、前記支持部材に固定されたアンテナと、を備え、前記支持部材が、前記電子部品の本体部の外面と間隔をあけて配置されたことを、特徴の一つとする。
【図面の簡単な説明】
【０００７】
【図１】図１は、第１実施形態にかかる電子機器の斜視図であって、展開状態を示す図である。
【図２】図２は、第１実施形態にかかる電子機器の斜視図であって、折り畳み状態を示す図である。
【図３】図３は、第１実施形態にかかる電子機器の第二の本体部の分解斜視図である。
【図４】図４は、第１実施形態にかかる電子機器に含まれるアンテナユニットの一部の平面図である。
【図５】図５は、第１実施形態にかかる電子機器の第二の本体部の図４のV−V線に対応する位置での断面図である。
【図６】図６は、第１実施形態にかかる電子機器の第二の本体部の図４のVI−VI線に対応する位置での断面図である。
【図７】図７は、第１実施形態にかかる電子機器に含まれるアンテナブラケットの変形例を示す斜視図である。
【図８】図８は、第１実施形態にかかる電子機器に含まれるアンテナブラケットの別の変形例を示す斜視図である。
【図９】図９は、第１実施形態にかかる電子機器に含まれるアンテナブラケットのさらに別の変形例を示す斜視図である。
【発明を実施するための形態】
【０００８】
以下、図面を参照して、本発明の実施形態について詳細に説明する。なお、以下では、便宜上、第二の本体部の幅方向（左右方向）をＸ方向、第二の本体部の先端方向をＹ方向、第二の本体部の厚さ方向をＺ方向とする。Ｘ軸、Ｙ軸、およびＺ軸は、相互に直交する。
【０００９】
図１，２に示すように、本実施形態にかかる電子機器１は、所謂ノート型のパーソナルコンピュータとして構成されており、矩形状の扁平な第一の本体部２と、矩形状の扁平な第二の本体部３と、を備えている。これら第一の本体部２および第二の本体部３は、ヒンジ機構４を介して、回動軸Ａｘ回りに図１に示す展開状態と図２に示す折り畳み状態との間で相対回動可能に、接続されている。
【００１０】
第一の本体部２には、筐体２ａの外面としての前面２ｂ側に露出する状態で、入力操作部としてのキーボード５や、ポインティングデバイス６、クリックボタン７等が設けられている。一方、第二の本体部３には、筐体３ａの外面としての前面３ｂ側に露出する状態で、表示装置（電子部品）としてのディスプレイパネル８が設けられている。ディスプレイパネル８は、例えば、ＬＣＤ（Liquid Crystal Display）として構成される。そして、電子機器１の展開状態では、キーボード５や、ポインティングデバイス６、クリックボタン７、ディスプレイパネル８等が露出して、ユーザが使用可能な状態となる。一方、折り畳み状態では、前面２ｂ，３ｂ同士が相互に近接した状態で対向して、キーボード５や、ポインティングデバイス６、クリックボタン７、ディスプレイパネル８等が、筐体２ａ，３ａによって隠された状態となる。なお、図１では、キーボード５のキー５ａは一部のみ図示されている。
【００１１】
図１，２に示すように、第二の本体部３は、Ｚ方向からの平面視ではＸ方向に長くＹ方向に短い長方形状を呈しているとともに、Ｚ方向には薄い扁平な形状に構成されている。第二の本体部３の筐体３ａは、図３に示すように、後面３ｃを形成する底壁３ｄと当該底壁３ｄの周縁部で突出する側壁３ｅ１とを有する第一の分割体３Ｃと、前面３ｂを形成する天壁３ｆと当該天壁３ｆの周縁部で突出する側壁３ｅ２とを有する第二の分割体３Ｍと、を備えている。第二の分割体３Ｍの天壁３ｆの中央部には、矩形状の開口部３ｇが形成されており、この開口部３ｇからディスプレイパネル８の表示画面８ａが露出している。また、第一の分割体３Ｃおよび第二の分割体３Ｍの側壁３ｅ１，３ｅ２は相互に重なり合い、これら側壁３ｅ，３ｅ２によって筐体３ａの側壁（周壁部）３ｅが形成されている。すなわち、第二の本体部３の外郭は、底壁３ｄや、側壁３ｅ、天壁３ｆ等によって構成されている。なお、筐体３ａは、金属材料や合成樹脂材料等で構成することができる。
【００１２】
そして、図３に示すように、第二の本体部３では、第一の分割体３Ｃと第二の分割体３Ｍとによって形成される外郭の内部に、ディスプレイパネル８と、アンテナユニット９とが収容されている。
【００１３】
ディスプレイパネル８は、Ｚ方向から見た平面視では矩形状であり、かつ厚さ（Ｚ方向の高さ）の比較的薄い扁平な外観を呈している。ディスプレイパネル８は、筐体３ａのほぼ中央部に位置するように配置され、例えばディスプレイパネル８の四隅に設けられるブラケット部８ｂをねじ１２等の固定具を用いて固定することによって、第一の分割体３Ｃに取り付けられる。なお、図３では、ディスプレイパネル８の本体部８ｃとブラケット部８ｂとが分けて示されているが、ディスプレイパネル８は、実際には、本体部８ｃにブラケット部８ｂを取り付けた状態で、第一の分割体３Ｃに取り付けられる。また、ブラケット部８ｂの一端部はヒンジ機構４に接続されている。
【００１４】
また、図３に示すように、ディスプレイパネル８の帯状かつ平面状の部品側面８ｄと筐体３ａの側壁３ｅとの間、すなわち、筐体３ａ内のディスプレイパネル８（本体部８ｃまたはブラケット部８ｂ）の部品側面８ｄの周囲には、細長い矩形枠状のケーブル配策領域Ａｓが形成されている。このケーブル配策領域Ａｓには、ケーブル（図示せず）が配策される。ケーブルは、場所によっては複数本（例えば３本）並行して配策される。ケーブルは、例えば、アンテナ１１に接続されるアンテナケーブルや、カメラ（図示せず）に接続されるカメラケーブルである。
【００１５】
また、図３に示すように、本実施形態では、第二の分割体３Ｍの天壁３ｆ上に、側壁３ｅ２（３ｅ）と平行に間隔をあけて対向する突起部３ｈが設けられている。突起部３ｈは、ディスプレイパネル８の部品側面８ｄと筐体３ａの側壁３ｅとの間に、これら部品側面８ｄおよび側壁３ｅと平行な姿勢で配置されている。また、突起部３ｈは、部品側面８ｄに沿って間欠的に複数箇所に配置されている。ケーブルは、列状に配置される複数の突起部３ｈと側壁３ｅとの間に配策される。すなわち、本実施形態では、突起部３ｈの列と側壁３ｅとによって、ケーブル配策領域Ａｓが規定されている。また、突起部３ｈは、ディスプレイパネル８の部品側面８ｄに対向して設けられている。そして、ディスプレイパネル８が、慣性力の作用等で、筐体３ａ内で表示画面８ａに沿う面内方向（すなわちＸＹ平面に沿う方向）に相対移動して、突起部３ｈに当接した場合に、突起部３ｈは、そのディスプレイパネル８の当接によって傾倒して変形し、衝突エネルギを吸収する。すなわち、本実施形態では、突起部３ｈは、エネルギ吸収部としても機能し、ディスプレイパネル８の保護性を高めている。
【００１６】
アンテナユニット９は、アンテナ支持部材１０と、複数のアンテナ１１（１１Ａ，１１Ｂ）とを含んでいる。アンテナ１１は、比較的小型で薄い基板やフィルム上に、素子や、電子部品、導体経路等（いずれも図示せず）を設けたものとして構成され、例えば、３Ｇ（3rd Generation,IMT-2000規格）用のアンテナや、無線ＬＡＮ（Wireless Local Area Network）用のアンテナとして構成される。また、アンテナ１１Ａについては、折曲線１１ａで折り曲げて傾斜可能に構成されている。アンテナ１１は、ケーブル配策領域Ａｓで配策されるケーブル（図示せず）を介して、第一の本体部２内に収容された基板（図示せず）に実装された通信回路に接続されている。なお、各アンテナ１１の先端側（Ｙ方向先方側）の部分が主として通信機能を担う部分である。
【００１７】
アンテナ支持部材１０は、本実施形態では、第二の本体部３の筐体３ａの先端側（Ｙ方向先方側）の端縁３ｉに沿って略一定幅で延伸する帯板状に、形成されている。また、アンテナ支持部材１０の、少なくともアンテナ１１が取り付けられる部分（例えば後面１０ａの全体）は、導体であり、この導体の部分が、アンテナ１１のグラウンドとして機能する。よって、アンテナ支持部材１０は、例えば、帯板状の金属導体や、後面１０ａ上に導体層（例えば、導体箔、導体膜、導体板等）が設けられた帯板状の絶縁体（例えば合成樹脂等）等として、構成することができる。そして、アンテナ支持部材１０の導体部分を、第二の本体部３のグラウンドに電気的に接続するとともに、複数のアンテナ１１のグラウンド電極（図示せず）に接続することで、第二の本体部３とアンテナ１１との間でグラウンド電位が共通になり、ノイズの混入等の通信の不良を抑制することができる。
【００１８】
そして、アンテナ支持部材１０は、図４〜６にも示すように、筐体３ａの底壁３ｄとディスプレイパネル８の外面としての後面８ｅとの間に配置された帯板状のベース部１０ｂと、ベース部１０ｂに対して先端側（Ｙ方向先方側）に配置された帯板状の傾斜部１０ｃと、筐体３ａの固定部３ｊに固定されるブラケット部１０ｄと、を有している。図６に示すように、本実施形態では、アンテナ支持部材１０の断面は、ベース部１０ｂと傾斜部１０ｃとで屈曲した形状となっており、屈曲しない直線的な形状である場合に比べて、アンテナ支持部材１０の剛性が高い。また、ブラケット部１０ｄは、ベース部１０ｂの長手方向両端側（第二の本体部３の幅方向両側、Ｘ方向両側）かつ先端側（Ｙ方向先方側）に、矩形状の領域として設けられている。ブラケット部１０ｄには、取付用のねじ１２が貫通する貫通部としての貫通孔１０ｅが設けられている。
【００１９】
ベース部１０ｂは、図６に示すように、底壁３ｄならびにディスプレイパネル８の後面８ｅと平行な姿勢で、それら底壁３ｄならびにディスプレイパネル８の双方と間隔をあけて配置されている。これにより、アンテナ支持部材１０に取り付けられるアンテナ１１も、底壁３ｄならびにディスプレイパネル８の双方から離間することになり、アンテナ１１と底壁３ｄあるいはディスプレイパネル８とが近くに配置されることでアンテナ１１の通信特性に影響が及ぶのを抑制することができる。また、仮に、アンテナ支持部材１０がディスプレイパネル８の後面８ｅに当接した場合、第二の本体部３の組み立て作業時等に、アンテナ支持部材１０から押されて、ディスプレイパネル８に何らかの悪影響が及ぶ可能性もある。この点、本実施形態では、アンテナ支持部材１０のベース部１０ｂおよび傾斜部１０ｃの双方が、ディスプレイパネル８から離間しているため、ディスプレイパネル８がアンテナ支持部材１０に押されるのを抑制することができる。
【００２０】
傾斜部１０ｃは、図３，４に示すように、アンテナ支持部材１０の長手方向両側に形成された一対の切り込み１０ｆでベース部１０ｂ（ブラケット部１０ｄ）側と分離され、図６にも示すように、切り込み１０ｆの奥側の端部間を結ぶ折曲線１０ｇで前方側（Ｚ方向先方側）へ折り曲げられて、形成されている。すなわち、傾斜部１０ｃは、図６に示すように、ベース部１０ｂの先端側の端縁１０ｈから先端側（Ｙ方向先方側）へ向かうにつれて前方側へ向かっている。よって、アンテナ１１Ａは、図６に示すように、アンテナ支持部材１０の折り曲げに沿って屈曲し、アンテナ１１Ａの先端部１１ｂは、第二の本体部３の先端側で筐体３ａの外郭としての底壁３ｄ、側壁３ｅ、および天壁３ｆで囲まれた空間Ｓの中央部に寄せて配置される。これにより、アンテナ１１の先端部１１ｂと筐体３ａの外郭とが近くに配置されることでアンテナ１１の通信特性に影響が及ぶのを、抑制することができる。なお、傾斜部１０ｃのスペック（大きさ、角度等）は、アンテナ１１の特性が適切となるように設定される。
【００２１】
ブラケット部１０ｄは、図５に示すように、第一の分割体３Ｃに設けられた固定部３ｊとしてのボス部３ｋと第二の分割体３Ｍに設けられた固定部３ｊとしてのボス部３ｍとの間に、ディスプレイパネル８のブラケット部８ｂとともに挟持され、ねじ１２によって筐体３ａに取り付けられている。本実施形態では、第一の分割体３Ｃのボス部３ｋに雌ねじ部が設けられ、第二の分割体３Ｍに形成された貫通孔３ｎおよびブラケット部８ｂ，１０ｄに形成された貫通孔８ｆ，１０ｅを貫通したねじ１２を、第二の分割体３Ｍ側から締め付けることで、第一の分割体３Ｃ、第二の分割体３Ｍ、ディスプレイパネル８、およびアンテナユニット９が、結合されている。なお、ねじ１２のヘッド部１２ａは、貫通孔３ｎの開口端部に圧入されたプラグ１３によって覆われて隠されている。
【００２２】
アンテナ１１は、アンテナ支持部材１０に、接着剤や接着テープ等を用いて取り付けられている。上述したように、アンテナ１１のグラウンド電極（図示せず）は、アンテナ支持部材１０の導体部に電気的に接続される。よって、アンテナ１１のアンテナ支持部材１０への取り付けに際しては、導電性の接着剤や接着テープ等を用いるのが好適である。アンテナ１１は、筐体３ａに取り付けられたアンテナ支持部材１０に取り付けてもよいし、アンテナ１１をアンテナ支持部材１０に取り付けたアンテナユニット９を筐体３ａに取り付けてもよい。
【００２３】
以上の本実施形態では、電子機器１が、電子部品としてのディスプレイパネル８が収容された筐体３ａと、筐体３ａに固定された支持部材としてのアンテナ支持部材１０と、アンテナ支持部材１０に固定されたアンテナ１１と、を備えている。よって、アンテナ１１が筐体３ａに直接固定された場合に比べて、アンテナ１１の取り付けおよび取り外しをより容易に行うことができる。さらに、本実施形態では、一つのアンテナ支持部材１０に複数のアンテナ１１が取り付けられたため、アンテナ１１の取り付けおよび取り外しをより一層容易に行うことができる。
【００２４】
また、本実施形態では、アンテナ支持部材１０が、ディスプレイパネル８の本体部８ｃの外面としての後面８ｅと間隔をあけて配置された。よって、ディスプレイパネル８が近接して配置されることによってアンテナ１１の通信特性に影響が及ぶのを抑制することができる。
【００２５】
また、本実施形態では、アンテナ支持部材１０が、筐体３ａの外郭（底壁３ｄ、側壁３ｅ、天壁３ｆ等）に沿って配置され、当該外郭に固定された。よって、アンテナ支持部材１０により外郭を補強し、筐体３ａの剛性を高めることができる。
【００２６】
また、本実施形態では、アンテナ支持部材１０が、外郭としての一つの側壁３ｅの長手方向両端部間に亘って配置された。よって、アンテナ支持部材１０により側壁３ｅを全体的に補強し、筐体３ａの剛性をより一層高めることができる。
【００２７】
また、本実施形態では、アンテナ支持部材１０が、屈曲した断面を有した。よって、アンテナ支持部材１０の剛性を高めて、筐体３ａの剛性をより一層高めることができる。
【００２８】
また、本実施形態では、筐体３ａは、相互に間隔をあけて対向する天壁３ｆおよび底壁３ｄと、天壁３ｆおよび底壁３ｄを接続する側壁３ｅと、有し、アンテナ支持部材１０は、天壁３ｆおよび底壁３ｄのうち一方としての底壁３ｄの近くに配置されるベース部１０ｂと、ベース部１０ｂに接続され側壁３ｅに近づくにつれて一方から遠ざかる方向へ伸びる傾斜部１０ｃと、を有した。よって、アンテナ１１を傾斜部１０ｃに沿って、底壁３ｄ、側壁３ｅ、および天壁３ｆで囲まれた空間の中央部へ近づけて配置することができて、アンテナ１１の通信特性に、底壁３ｄ、側壁３ｅ、および天壁３ｆの影響が及ぶのを抑制することができる。
【００２９】
また、本実施形態では、筐体３ａが複数の分割体３Ｍ，３Ｃを有し、アンテナ支持部材１０が、それら複数の分割体３Ｍ，３Ｃを固定する固定具としてのねじ１２によって筐体３ａに固定された。よって、分割体３Ｍ，３Ｃ同士を結合するねじとアンテナ支持部材１０を筐体３ａに固定するねじとを別個に設けた場合に比べて、部品点数を減らすことができる。また、組み立ての工程数を減らすこともできる。
【００３０】
また、本実施形態では、電子部品が表示装置としてのディスプレイパネル８であり、筐体３ａが、ディスプレイパネル８の後側を覆う第一の分割体３Ｃと、ディスプレイパネル８の表示画面８ａを露出させた状態で当該ディスプレイパネル８の前側を覆う第二の分割体３Ｍと、を有し、アンテナ１１のハーネス（図示せず）が第二の分割体３Ｍに固定された。よって、ディスプレイパネル８の後側を覆う第一の分割体３Ｃを比較的容易に着脱することができる。このような構成は、例えば、一旦組み立てられた電子機器１から第一の分割体３Ｃを取り外して、後面３ｃに、模様や、文字、画像等を印刷したり、シールやフィルム等を貼り付けたりする（加飾する）場合に、筐体３ａから第一の分割体３Ｃを取り外しやすくなる。また、印刷のため第一の分割体３Ｃを印刷機等にセットする際に、第一の分割体３Ｃにアンテナ１１やハーネスが付随して処理や作業に支障を来すという不都合を回避することができる。
【００３１】
また、本実施形態では、電子機器１の組み立てにあたり、作業者は、複数のアンテナ１１をアンテナ支持部材１０に一体化したアンテナユニット９を筐体３ａに取り付けることができる。こうすることで、複数のアンテナ１１の取り付けや取り外しをまとめて行うことができるので、取り付けや取り外しの手間を減らしやすくなる。
【００３２】
また、図７に示す変形例では、アンテナ支持部材１０Ａが、その長手方向（すなわちＸ方向）の両端部としてのブラケット部１０ｄと傾斜部１０ｃとを当該アンテナ支持部材１０Ａの長手方向に接続する屈曲部１０ｉを有した。よって、アンテナ支持部材１０Ａの剛性をより一層高めることができて、アンテナ支持部材１０Ａによる筐体３ａの補強効果をより一層高めることができる。
【００３３】
また、図８に示す変形例では、アンテナ支持部材１０Ｂが、その長手方向に沿って伸びる突起部１０ｊを有した。突起部１０ｊは、一例として、ベース部１０ｂの幅方向中央部を前方側に一定幅で細長く凹ませて形成されている。突起部１０ｊにより、アンテナ支持部材１０Ｂの剛性をより一層高めることができ、アンテナ支持部材１０Ｂによる筐体３ａの補強効果をより一層高めることができる。なお、突起部は、アンテナ１１の性能等に支障を来さない範囲で後方に突出させてもよい。また、突起部は、部分的に形成したり、間欠的に形成したり、複数形成したり、段差状に形成したりしてもよい。
【００３４】
また、図９に示す変形例では、アンテナ支持部材１０Ｃに、表裏方向（前後方向）に貫通する貫通部としての貫通孔１０ｋを設けた。これにより、アンテナ支持部材１０Ｃをより軽量に構成することができる。貫通部は、切欠等として設けてもよいし、傾斜部１０ｃに設けてもよい。また、貫通部によって、他の部品等との干渉を避けてもよい。
【００３５】
以上、本発明の好適な実施形態について説明したが、本発明は上記実施形態には限定されず、種々の変形が可能である。例えば、本発明は、ノート型のパーソナルコンピュータ以外の電子機器としても実施することができる。また、筐体、支持部材、アンテナ、外郭、断面、突起部、ベース部、傾斜部、固定具、表示装置、第一の分割体、第二の分割体等のスペック（構造や、形状、大きさ、重量、数、材質、配置、位置等）は、適宜に変更して実施することができる。
【００３６】
上記実施形態によれば、ディスプレイパネルが収容された筐体内にアンテナが装備されることによって不都合が生じるのをより抑制することができる。
【符号の説明】
【００３７】
１…電子機器、３Ｃ…第一の分割体、３Ｍ…第二の分割体、３ａ…筐体、３ｄ…底壁（外郭）、３ｅ，３ｅ１，３ｅ２…側壁（外郭）、３ｆ…天壁（外郭）、８…ディスプレイパネル（電子部品、表示装置）、８ａ…表示画面、８ｃ…本体部、８ｅ…後面（外面）、１０…アンテナ支持部材（支持部材）、１０ｂ…ベース部、１０ｃ…傾斜部、１０ｄ…ブラケット部（長手方向両端部）、１０ｉ…屈曲部、１０ｊ…突起部、１２…ねじ（固定具）。
【図１】
2011239327.tif 000003
【図２】
2011239327.tif 000004
【図３】
2011239327.tif 000005
【図４】
2011239327.tif 000006
【図５】
2011239327.tif 000007
【図６】
2011239327.tif 000008
【図７】
2011239327.tif 000009
【図８】
2011239327.tif 000010
【図９】
2011239327.tif 000011
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
壁を含み、電子部品が収容された筐体と、
前記電子部品と離間された位置で、前記筐体の壁に沿って該壁に固定された支持部材と、
前記支持部材の長手方向に沿って該支持部材に設けられた突起部と、
前記支持部材に固定されたアンテナと、
を備えた電子機器。
【請求項２】
前記支持部材に複数の前記アンテナが固定された請求項１に記載の電子機器。
【請求項３】
前記支持部材が、前記壁としての一つの側壁の長手方向両端部間に亘って配置された請求項１または２に記載の電子機器。
【請求項４】
前記支持部材が、屈曲した断面を有した請求項１〜３のうちいずれか一つに記載の電子機器。
【請求項５】
前記筐体は、前記壁として相互に間隔をあけて対向する天壁および底壁と、前記天壁および底壁を接続する側壁と、有し、
前記支持部材は、前記天壁および前記底壁のうち一方の近くに配置されるベース部と、前記ベース部に接続され前記側壁に近づくにつれて前記一方から遠ざかる方向へ伸びる傾斜部と、を有した請求項１〜４のうちいずれか一つに記載の電子機器。
【請求項６】
前記支持部材が、当該支持部材の長手方向の両端部と前記傾斜部とを当該支持部材の長手方向に接続する屈曲部を有した請求項５に記載の電子機器。
【請求項７】
前記筐体が複数の分割体を有し、
前記支持部材が、前記複数の分割体を固定する固定具によって前記筐体に固定された請求項１〜６のうちいずれか一つに記載の電子機器。
【請求項８】
前記電子部品が表示装置であり、
前記筐体が、前記表示装置の後側を覆う第一の分割体と、前記表示装置の表示画面を露出させた状態で当該表示装置の前側を覆う第二の分割体と、を有し、
前記アンテナのハーネスが前記第二の分割体に固定された請求項１〜７のうちいずれか一つに記載の電子機器。
【請求項９】
第一の筐体と、
前記第一の筐体とヒンジ部を介して回動可能に接続され、前記ヒンジ部から離間した二つの角部と、該二つの角部間に亘る壁部と、を有した第二の筐体と、
少なくとも一部が露出した状態で前記第二の筐体に収容された表示装置と、
前記第二の筐体内で前記二つの角部に両端支持され、前記二つの角部間で前記壁部および前記表示装置から離間した位置で前記壁部および前記表示装置に沿って延び、アンテナを支持した支持部材と、
を備えた、電子機器。
【請求項１０】
前記支持部材は、屈曲した断面を有して前記二つの角部間で延びた部分を有した、請求項９に記載の電子機器。
【請求項１１】
前記表示装置が、前記支持部材とともに、前記二つの角部に固定された、請求項９または１０に記載の電子機器。
【手続補正２】
【補正対象書類名】明細書
【補正対象項目名】０００６
【補正方法】変更
【補正の内容】
【０００６】
本発明の実施形態にかかる電子機器は、筐体と、支持部材と、突起部と、アンテナと、を備える。筐体は、壁を含む。筐体には、電子部品が収容される。支持部材は、電子部品と離間された位置で、筐体の壁に沿って該壁に固定される。突起部は、支持部材の長手方向に沿って該支持部材に設けられる。アンテナは、支持部材に固定される。